(57)【要約】【課題】ＩＤ認証機能を有する無線送受信システムでは、新規に送受信機を増設する場合のＩＤコードの設定が面倒であった。【解決手段】ＩＤ認証機能を有する無線送受信システムの送信機にはＩＤコードを格納した送信機メモリと該送信機メモリからＩＤコードを読み取り受信機へ送信するＩＤコード送信部とを備え、受信機には更新可能な受信機メモリと送信機からのＩＤコードを受信しそれを該受信機メモリへ格納するＩＤコード受信部とを備え、ＩＤコード送信部にＩＤコード送信命令を送出するとともにＩＤコード受信部にＩＤコード受信命令を送出する手段を備える。【選択図】　図１
2004104283.tif 000002
【特許請求の範囲】
【請求項１】
少なくとも１台の送信機と、少なくとも１台の受信機とを有する無線送受信システムにおいて、送信機にはＩＤコードを格納した送信機メモリと該送信機メモリからＩＤコードを読み取り受信機へ送信するＩＤコード送信部とを備え、受信機には更新可能な受信機メモリと送信機からのＩＤコードを受信しそれを受信機メモリへ格納するＩＤコード受信部とを備えたことを特徴とする無線送受信システム。
【請求項２】
請求項１記載の無線送受信システムにおいて、ＩＤコード送信部にＩＤコード送信命令を送出するとともにＩＤコード受信部にＩＤコード受信命令を送出する手段を備えたことを特徴とする無線送受信システム。
【請求項３】
請求項１記載の無線送受信システムにおいて、ＩＤコード送信部およびＩＤコード受信部にそれぞれ通信ジャックを設け、両通信ジャックが１本のケーブルにより接続された状態で、ＩＤコード送信部は送信機メモリからＩＤコードを読み取り通信ジャックへ送出し、ＩＤコード受信部は通信ジャックを介して送られてきたＩＤコードを受信し受信機メモリへ格納することを特徴とする無線送受信システム。
【請求項４】
請求項３記載の無線送受信システムにおいて、ＩＤコード送信部の通信ジャックにケーブルが接続されたことを検出しＩＤコード送信部にＩＤコード送信命令を送出する手段と、ＩＤコード受信部の通信ジャックにケーブルが接続されたことを検出しＩＤコード受信部にＩＤコード受信命令を送出する手段とを備えたことを特徴とする無線送受信システム。
【請求項５】
請求項１乃至４のいずれかに記載の無線送受信システムにおいて、送信機にはＩＤコード送信部の動作中と動作終了を表示する表示灯を備え、受信機にはＩＤコード受信部の動作中と動作終了を表示する表示灯を備えたことを特徴とする無線送受信システム。
【発明の詳細な説明】
【０００１】
【発明の属する技術分野】
本発明は、ＩＤ認証機能を有する無線送受信システムにおけるＩＤコードの設定方法に関し、特に、ＳＳ無線を介してＡＶ信号をＩＤコードに基づくスクランブル処理して伝送するＡＶ機器間で新規にＡＶ機器を追加する場合に、新規の機器と既存の機器との間で容易にＩＤコードを設定することを可能にするＩＤコードの設定方法に関する。
【０００２】
【従来の技術】
従来、例えば一般家庭内の数ｍの近距離でＡＶ機器を制御する装置が知られているが、この制御装置は、ＣＤプレーヤーやＶＴＲなど、居間に設置されるＡＶ機器からＡＶ信号をＦＭ無線もしくは赤外線で数ｍはなれた場所に設置してあるスピーカーやヘッドフォンなどへ伝送するように構成されている。
このような制御装置ではＦＭ無線や赤外線の伝送エリアや耐遮蔽の課題や、スピーカーやヘッドフォン側からの制御はできないなどの課題があり、このような課題に対応する提案として、特許文献１が提案されている。
【０００３】
特許文献１においては、それぞれ別々の場所に設置された主ＡＶ機器と副ＡＶ機器とを制御するＡＶ機器制御装置であって、主ＡＶ機器と副ＡＶ機器とに送信機能と受信機能を付与し、主ＡＶ機器と副ＡＶ機器とを双方向に制御できるように構成され、それぞれの制御機器を通してＡＶ信号が無線信号によって伝送されると共に主ＡＶ機器と副ＡＶ機器のうち少なくとも副ＡＶ機器が赤外線コントローラから発信される赤外線を受信する赤外線受信部を有し、主ＡＶ機器制御装置と副ＡＶ機器制御装置の少なくとも主ＡＶ機器制御装置が赤外
線送信部を有し、主ＡＶ機器制御装置は副ＡＶ機器制御装置から送信された制御用無線信号を赤外線信号に変換して主ＡＶ機器をコントロールするもので、主ＡＶ機器と副ＡＶ機器とを双方向制御することにより主ＡＶ機器を離れた位置の副ＡＶ機器で制御しつつ映像や音楽を視聴可能とする提案である。
【０００４】
また、特許文献２にはワイヤレス監視システムにおいて、親機は複数の子機に割り付けしたＩＤコードを基に所望の子機を指定し、無線にてスぺクトラム拡散したＩＤコード等を送信して所望の子機を指定し、指定した子機より無線信号を受信してデータを復調し、データ伸長して元の画像信号等を復調してモニタに表示し、該画像を見ながら各制御信号入力部に入力して、指定した子機に接続するカメラの旋回装置の旋回方向、カメラのズーム量、フォーカス、絞り等のカメラ調整状態を制御し、また、子機のデータ圧縮部の画素数、圧縮率等の圧縮状態を制御している。
【０００５】
一方、子機は、前記制御されたカメラよりの画像信号をデジタル信号に変換し、該画像信号を前記制御された圧縮状態にデータ圧縮し、別に入力する音声信号等と多重化して、所定の伝送フォーマットに変換した後、ＱＰＳＫ（四位相偏移変調）等のデジタル変調して疑似ランダム符号を乗算したスペクトラム拡散信号を搬送波の周波数に変換して無線信号として、アンテナより送出するようにしている。
また、親機は、この無線信号を受信し、スペクトラム逆変換して元のデータを復調し、データ伸長して元の画像信号、音声信号等を分離復調し、モニタ、スピーカ等の出力装置に入力し、モニタにて元の画像を表示し、スピーカより音声を出力するようにしている。
【０００６】
【特許文献１】
特開２０００−２５１４５６
【特許文献２】
特開平９−９３１７９
【０００７】
【発明が解決しようとする課題】
ＳＳ無線における画像伝送のように大量のデータを扱う場合、伝送速度を最大限に上げる必要があり、限られた帯域内では使用できる疑似ランダム符号の種類が限定され、また複数の機器を同時に送信すると混信してしまうなどの問題があり、現状では同時に複数の機器を対象にしたものではなく、特開平９−９３１７９のようにスクランブルをかけ対象機器を認証することにより送受信１対１で対応されている。
【０００８】
そのため、複数の通信対象機器に認証用のＩＤコードを割り付けすることになるが、一般的にはＩＤコードは容易に変更されないように、例えば特開平９−９３１７９に開示のようにＩＤコード設定用のデジタルスイッチなどを機器内部に設ける場合がある。しかし、一般ユーザーは、これらの機器内部の構造を知悉していないため、通常はＩＤコードを変更して新たに設定することは不可能であった。
そこで、本発明は、盗聴防止やコピーガードのために互いにＩＤコードを共有してＡＶデータを伝送するＳＳ無線機器間で、新規に機器を追加する場合に、
その新規追加の機器と既存の機器間でＩＤコードの設定を可能にする無線送受信システムを提案することを課題とする。ここで、新規追加とは、工場出荷時にＩＤコードがプリセットされている既存の機器間を除いて、後に関係の追加される広義の機器間を意味し、異種の機器間はもちろん同種の機器間も含まれる。
【０００９】
【課題を解決するための手段】
本発明はこうした課題を解決するための手段を提供するもので、各請求項の発明は、以下の技術手段を構成する。
本発明にかかる無線システムにおいては、送信機にはＩＤコードを格納した送信機メモリと該送信機メモリからＩＤコードを読み取り受信機へ送信するＩＤコード送信部とを備え、受信機には更新可能な受信機メモリと送信機からのＩＤコードを受信しそれを受信機メモリへ格納するＩＤコード受信部とを備えたことを特徴とする。それにより、ＩＤコードの設定が自動的に行われ、従来面倒であったＩＤコードの設定が容易となる。
【００１０】
また、前記の発明においては、ＩＤコード送信部にＩＤコード送信命令を送出するとともにＩＤコード受信部にＩＤコード受信命令を送出する手段を備えたことを特徴とする。それにより、無線送受信システムに新規に機器を増設する場合のＩＤコードの設定が可能となり、途中からのシステムの変更や規模拡大が可能となる。
【００１１】
また、前記の発明においては、ＩＤコード送信部およびＩＤコード受信部にそれぞれ通信ジャックを設け、両通信ジャックが１本のケーブルにより接続された状態で、ＩＤコード送信部は送信機メモリからＩＤコードを読み取り通信ジャックへ送出し、ＩＤコード受信部は通信ジャックを介して送られてきたＩＤコードを受信し受信機メモリへ格納することを特徴とする。それにより、ＩＤコードの設定が有線で行われ、ＩＤコードの設定が簡単になるとともに確実性が増す。それにより、ＩＤコードの設定が有線で行われ、ＩＤコードの設定操作が簡単になるとともに確実性が増す。
【００１２】
また、前記の発明においては、ＩＤコード送信部の通信ジャックにケーブルが接続されたことを検出しＩＤコード送信部にＩＤコード送信命令を送出する手段と、ＩＤコード受信部の通信ジャックにケーブルが接続されたことを検出しＩＤコード受信部にＩＤコード受信命令を送出する手段とを備えたことを特徴とする。それにより、ＩＤコードの設定操作がさらに簡単になる。
【００１３】
また、前記の発明においては、送信機にはＩＤコード送信部の動作中と動作
終了を表示する表示灯と、受信機にはＩＤコード受信部の動作中と動作終了を表示する表示灯とを備えたことを特徴とする。それにより、ＩＤコード設定の動作の確認が可能となり、操作性が向上する。
【００１４】
【発明の実施の形態】
以下、図に基づいて本発明の実施形態を説明する。図１は本発明を、互いにＳＳ無線によりＡＶ信号を伝送するＡＶ入力機器とプロジェクタ本体とからなる無線送受信システムに適用した場合の構成を示すブロック図である。図において、プロジェクタコントロールボックス１００とプロジェクタ本体４００との間にはコピーガードと盗聴防止のためＩＤコード「１００」が設定されており、プロジェクタコントロールボックス１００がＩＤコード「１００」を用いてＡＶ信号をスクランブル処理してＳＳ無線により送信すると、プロジェクタ本体４００がそれを受信しＩＤコード「１００」を用いてデスクランブル処理し、得られたＡＶ信号を投影・再生する。同様に、ＤＶＤレコーダ２００およびＢＳチューナ３００についても、それぞれ内蔵するＩＤコードを用いてＡＶ信号をスクランブル処理してプロジェクタ本体４００へ送信することが可能である。図面では、プロジェクタ本体４００に対して、３台のＡＶ入力機器が通信可能である。ここで４台目の入力機器（図示せず）を追加する場合に、その４台目の入力機器に備えられているＩＤコードを用いて、プロジェクタ本体４００との間にＩＤコードの設定をすることで、４台目の入力機器によるＡＶ信号の入力が可能となる。なお、新規にＩＤコードを設定する場合は、新規の入力機器とプロジェクタ本体４００との間を有線で接続する場合と無線で接続する場合がある。尚、ＳＳとはスペクトル拡散の意である。
【００１５】
図２は、新規にＡＶ入力機器を追加して既存の機器との間でＩＤコードを設定する場合の、ＩＤコードを送信する側のＳＳ無線送信機の構成を示すブロック図である。図において、１は入力端子であり、図示しないＡＶソースから信号が入力される。入力端子１に入力された映像信号は、ビデオエンコーダー処理回路２にて変調され、ＭＰＥＧエンコーダー処理回路３にてデータ圧縮された後、ＳＳ送信ユニット回路４から送信される。５はＳＳ無線送信機を制御する送信機制御マイコンであり、ＩＤコード設定用の通信ジャック６、ＩＤコードの書き込み命令を入力する書込みボタン７、複数のＩＤコードを格納した送信機メモリであるところのＥＥＰＲＯＭ８、ＩＤコード設定動作の進行状態を表示するＬＥＤ９が接続されている。通信ジャック６には、ケーブル（図示せず）が接続されたことを検知するスイッチＳＷ１が内蔵されている。ＬＥＤ９は、例えば、ＩＤコードの設定中は点灯し、設定が終了すると点滅動作をする。
【００１６】
図３は、新規にＡＶ入力機器を追加して既存の機器との間でＩＤコードを設定する場合の、ＩＤコードを受信する側のＳＳ無線受信機の構成を示すブロック図である。図において、１０はＳＳ受信ユニット回路であり、図２のＳＳ送信ユニット回路４から送信される信号を受信する。受信された信号は、ＭＰＥＧデコーダー処理回路１１にてデータ伸長された後、ビデオデコーダー処理回路１２にて復調され、映像・音声信号となり出力端子１３から図示しないＡＶ機器に送られる。１４はＳＳ無線受信機を制御する受信機制御マイコンであり、ＩＤコード設定用の通信ジャック１５、複数のＩＤコードが格納される受信機メモリであるところのＥＥＰＲＯＭ１６、ＩＤコード設定動作の進行状態を表示するＬＥＤ１７が接続されている。通信ジャック１５には、ケーブル（図示せず）が接続されたことを検知するスイッチＳＷ２が内蔵されている。ＬＥＤ１７は、例えば、ＩＤコードの設定中は点灯し、設定が終了すると点滅動作をする。
【００１７】
図４は、図２の通信ジャック６と図３の通信ジャック１５との間を接続するケーブル１８とケーブル１８の周辺を示すブロック図である。通信ジャック６と通信ジャック１５との間を接続するケーブル１８は、ＲＳ２３２Ｃケーブル等が用いられる。通信ジャック６と通信ジャック１５には、それぞれスイッチＳＷ１，ＳＷ２が内蔵され、通信ジャック６および通信ジャック１５にケーブル１８が接続されるとそれを検知して検知信号をそれぞれ送信機制御マイコン５、受信機制御マイコン１４へ送る。
【００１８】
次に、図２乃至図４を参照しながら、ＩＤコードの設定手順の第１の実施形態について説明する。先ず、ユーザーにより、通信ジャック６と通信ジャック１５と
の間をケーブル１８により接続する。すると、通信ジャック６のスイッチＳＷ１がケーブル接続を検知して検知信号を送信機制御マイコン５に送り、送信機制御マイコン５はＩＤコードの送信モードを設定する。同じく、通信ジャック１５のスイッチＳＷ２がケーブル接続を検知して検知信号を受信機制御マイコン１４に送り、受信機制御マイコン１４はＩＤコードの受信モードを設定する。次に、ユーザにより、書込みボタン７が押下されると、ＩＤコードの書き込み命令が送信機制御マイコン５に入力され、送信機制御マイコン５は、ＥＥＰＲＯＭ８からＩＤコードを読み取り、通信ジャック６へ送出する。通信ジャック６へ送出されたＩＤコードは、ケーブル１８および通信ジャック１５を介して、受信機制御マイコン１４に入力される。受信機制御マイコン１４は入力されたＩＤコードをＥＥＰＲＯＭ１６に格納する。これにより、送信機側と受信機側とのＩＤコードの設定が完了する。なお、ＥＥＰＲＯＭ１６には、ＩＤコードを格納する複数のエリアがあり、入力されたＩＤコードを順に格納していき、エリアが満杯になったら、最も古いＩＤコードを更新する。ＩＤコードの設定が終了すると、ユーザーによ
り、ケーブル１８が外され、それをスイッチＳＷ１，ＳＷ２が検知することにより、送信機側および受信機側は通常のＡＶ信号伝送モードに復帰する。これらの動作は、ＬＥＤ９，１７により表示され、ＩＤコードの設定中は点灯し、設定が終了すると点滅動作をする。
【００１９】
次に、ＩＤコードの設定手順の第２の実施形態について説明する。先ず、ユーザにより、通信ジャック６と通信ジャック１５との間をケーブル１８により接続する。すると、通信ジャック６のスイッチＳＷ１がケーブル接続を検知して検知信号を送信機制御マイコン５に送り、送信機制御マイコン５はＩＤコードの送信モードを設定する。同じく、通信ジャック１５のスイッチＳＷ２がケーブル接続を検知して検知信号を受信機制御マイコン１４に送り、受信機制御マイコン１４はＩＤコードの受信モードを設定する。次に、送信機制御マイコン５は、ＥＥＰＲＯＭ８からＩＤコードを読み取り、通信ジャック６へ送出する。通信ジャック６へ送出されたＩＤコードは、ケーブル１８および通信ジャック１５を介して、受信機制御マイコン１４に入力される。受信機制御マイコン１４は入力されたＩＤコードをＥＥＰＲＯＭ１６に格納する。これにより、送信機側と受信機側とのＩＤコードの設定が完了する。ＩＤコードの設定が終了すると、ユーザーにより、
ケーブル１８が外され、それを、スイッチＳＷ１，ＳＷ２が検知することにより、送信機側および受信機側は通常のＡＶ信号伝送モードに復帰する。これらの動作は、ＬＥＤ９，１７により表示され、ＩＤコードの設定中は点灯し、設定が終了すると点滅動作をする。すなわち、この第２の実施形態は、第１の実施形態から書込みボタン７を除去したものであり、ケーブル１８を接続するだけで、ＩＤコードの設定が自動的に行われるようにしたものである。
【００２０】
次に、ＩＤコードの設定手順の第３の実施形態について説明する。この実施形態は、ケーブルを用いた有線によらず、ワイヤレスでＩＤコードを設定するようにしたものである。すなわち、ユーザーにより、書込みボタン７が押下されると、
ＩＤコードの書き込み命令が送信機制御マイコン５に入力され、送信機制御マイコン５はＩＤコードの送信モードを設定する。同時に、ＩＤコードの書き込み命令は、ＳＳ送信ユニット回路４およびＳＳ受信ユニット回路１０を介して受信機制御マイコン１４に送られ、受信機制御マイコン１４はＩＤコードの受信モードを設定する。送信機側で送信モードが設定されると、送信機制御マイコン５は、ＥＥＰＲＯＭ８からＩＤコードを読み取り、ＳＳ送信ユニット回路４へ送る。ＳＳ送信ユニット回路４へ送られたＩＤコードは、ワイヤレスによりＳＳ受信ユニット回路１０へ送られる。ＳＳ受信ユニット回路１０に受信されたＩＤコードは、受信機制御マイコン１４に入力される。受信機制御マイコン１４は入力されたＩＤコードをＥＥＰＲＯＭ１６に格納する。これにより、送信機側と受信機側とのＩＤコードの設定が完了する。ＩＤコードの設定が終了すると、ユーザーにより
、再度、書込みボタン７が押下される。すると、ＩＤコードの書き込み終了命令が、送信機制御マイコン５に入力され、送信機側は、ＩＤコードの送信モードから通常のＡＶ信号伝送モードに復帰する。同様に、受信機制御マイコン１４にも、ＩＤコードの書き込み終了命令が送られて受信機側もＩＤコードの受信モードから通常のＡＶ信号伝送モードに復帰する。これらの動作は、ＬＥＤ９，１７により表示され、ＩＤコードの設定中は点灯し、設定が終了すると点滅動作をする。
【００２１】
次に、ＩＤコードが設定された送信機と受信機の間での画像信号の伝送について図２および図３に基づいて説明する。図示しないＤＶＤレコーダの画像出力端子と送信機の入力端子１を接続して、ＤＶＤレコーダを再生する。再生画像信号は入力端子１から入力され、ビデオエンコーダー処理回路２にて変調され、ＭＰＥＧエンコーダー処理回路３にてデータ圧縮されたのち、ＳＳ送信ユニット回路４に入力される。ＳＳ送信ユニット回路４は、ＥＥＰＲＯＭ８から読み取った受信機のＩＤコードをスクランブル処理した後、圧縮画像データとともに送信する。ＳＳ送信ユニット回路４から送信された信号は、ＳＳ受信ユニット回路１０に受信され、デスクランブルされる。受信機制御マイコン１４は、ＳＳ受信ユニット回路１０でデスクランブルされたＩＤコードとＥＥＰＲＯＭ１６に格納されているＩＤコードとの認証処理をし、一致した場合にのみＭＰＥＧデコーダー処理回路１１に再生画像信号を送る。ＭＰＥＧデコーダー処理回路１１は、再生画像信号をデータ伸長してビデオデコーダー処理回路１２へ送る。ビデオデコーダー処理回路１２は、入力された信号を復調し、出力端子１３を介して、図示しないＡＶ機器へ出力し、ユーザーに視聴される。また、ＩＤコードの認証が不成立の場合は、再生画像信号はＭＰＥＧデコーダー処理回路１１に入力されず、ユーザー
ーの視聴が不可能となる。
【００２２】
このように、本発明によればＩＤ認証機能を有する無線送受信システムの機器間におけるＩＤコードの設定を容易且つ確実に行うことが可能になる。
なお、上述の実施形態では１つの受信機に対するＩＤコードの設定について説明したが、受信機が複数ある場合も送信機のＥＥＰＲＯＭ８を用いて複数のＩＤコードを管理することで逐次複数の受信機にＩＤコードを設定していくことが可能となる。
【００２３】
【発明の効果】
以上述べたように本発明によれば、ＩＤ認証機能を有する無線送受信システムの送信機と受信機との間でＩＤコードの設定を可能にしたことで、本発明を、盗聴防止やコピーガードのために互いにＩＤコードを共有してＡＶデータを伝送するＳＳ無線機器間に適用した場合、新規にＡＶ機器を追加するときに、その新規追加の機器と既存の機器間でのＩＤコードの設定が可能となるとともにその設定操作が容易になる。
【図面の簡単な説明】
【図１】本発明を適用した無線送受信システムの構成を示すブロック図である。
【図２】ＩＤコードを送信する側のＳＳ無線送信機の構成を示すブロック図である。
【図３】ＩＤコードを受信する側のＳＳ無線受信機の構成を示すブロック図である。
【図４】通信ジャックとケーブルの周辺を示すブロック図である。
【符号の説明】
１　入力端子
２　ビデオエンコーダー処理回路
３　ＭＰＥＧエンコーダー処理回路
４　ＳＳ送信ユニット回路
５　送信機制御マイコン
６　通信ジャック
７　書込みボタン
８　ＥＥＰＲＯＭ
９　ＬＥＤ
１０　ＳＳ受信ユニット回路
１１　ＭＰＥＧデコーダー処理回路
１２　ビデオデコーダー処理回路
１３　出力端子
１４　受信機制御マイコン
１５　通信ジャック
１６　ＥＥＰＲＯＭ
１７　ＬＥＤ
１８　ケーブル
１００　プロジェクタコントロールボックス
２００　ＤＶＤレコーダ
３００　ＢＳチューナ
４００　プロジェクタ本体
ＳＷ１，ＳＷ２　スイッチ
【図１】
2004104283.tif 000003
【図２】
2004104283.tif 000004
【図３】
2004104283.tif 000005
【図４】
2004104283.tif 000006